(57)【要約】【課題】取り付け、取り外しが容易で固定がしっかりしたクリップを提供する。【解決手段】クリップ1は,回転支持部5と先端部に患者の着衣を把持する第１の把持部3a,3bが設けられ、前期回転支持部5を介して該回転支持部5の軸回りに、それぞれ回転するように連結された一対の挟持部2a,2bと、前記第１の把持部3a,3bと前記回転支持部5との間に、チューブを把持する第２の把持部8a,8bを備える。【選択図】図１
2013056114.tif 000002
【特許請求の範囲】
【請求項１】
回転支持部と、
先端部に患者の着衣を把持する第１の把持部が設けられ、前記回転支持部を介して該回転支持部の軸回りに、それぞれ回転するように連結された一対の挟持部材と、
前記第１の把持部が閉じる力を発生するばね部材と、
を備えたクリップにおいて、
前記第１の把持部と回転支持部との間に、チューブを把持する第２の把持部を備えた
ことを特徴とするクリップ。
【請求項２】
請求項１記載のクリップにおいて、
前記第２の把持部は、前記一対の挟持部材のリブの内側凹み部に貼り付けられたことを特徴とするクリップ。
【請求項３】
請求項１又は２記載のクリップにおいて、
前記チューブの材質は塩化ビニルであり、
前記第２の把持部の材質はＥＤＰＭの発泡体であることを特徴とするクリップ。
【発明の詳細な説明】
【技術分野】
【０００１】
本発明はクリップに関する。
【背景技術】
【０００２】
特許文献１には、チューブ及びコード類の保持具が記載されている。このチューブ及びコード類の保持具は、治療、処置等に使用する液体及び気体等を流通させるチューブ及び若しくはコード類の２本以上を、内側にスポンジ等のような緩衝材を使用してなる対向する板状物の間に通し、該板状物を止め具又はテープで止めてチューブ及び若しくはコード類を保持している。
ところで、従来、透析チューブを患者の手に持たせておくと、透析中に、透析チューブがベッドの横に垂れ下がってしまう。
しかし、看護士が血圧を測るため、透析中の患者に近づく際に、透析チューブが垂れ下がっていると作業の邪魔になったり、看護士が透析チューブにひかかってしまったりすることがある。
そこで、現在は、図８に示すように透析チューブは患者の肩口にテープで固定されている。
【先行技術文献】
【特許文献】
【０００３】
【特許文献１】特開２００２−２１９１８１号公報
【発明の概要】
【発明が解決しようとする課題】
【０００４】
ところが、テープ固定では、例えば、衣服の生地がシルク等であると滑りやすいため、簡単にはがれてしまう欠点を有していた。また、テープののり（粘着材）により衣服が汚れてしまう欠点も有していた。
本発明は、簡単に取り付け、取り外しができるクリップを提供する。
【課題を解決するための手段】
【０００５】
本発明の第１の構成は、回転支持部と先端に患者の着衣を把持する第１の把持部が設けられ、前期回転支持部を介して該回転支持部の軸回りに、それぞれ回転するように連結された一対の挟持部材と、前記第１の把持部が閉じる力を発生するばね部材とを備えたクリップにおいて、前記第１の把持部と前記回転支持部との間に、チューブを把持する第２の把持部を備えたことを特徴とするものである。
【０００６】
本発明の第２の構成は、前記第２の把持部は、前記一対の挟持部材のリブの内側凹み部に貼り付けことを特徴とするものである。
【０００７】
本発明の第３の構成は、前記チューブの材質は塩化ビニルであり、前記第２の把持部の材質はＥＰＤＭの発泡体であることを特徴とするものである。
【発明の効果】
【０００８】
請求項１〜３記載のクリップによれば、簡単に取り付け、取り外しができる。
【０００９】
特に、請求項２記載のクリップによれば、第２の把持部が、一対の挟持部材のリブの内側凹み部に貼り付けられているので、第２の把持部の位置ずれが抑制される。
【００１０】
請求項３記載のクリップによれば、チューブの材質が塩化ビニルであり、第２の把持部の材質がＥＰＤＭの発泡体であるので、透析中に患者が無意識に透析回路（透析チューブ）を引っ張ったとき、透析チューブと第２の把持部との間に摩擦力が発生し抵抗力を感じ得るので、透析チューブを引っ張ってはいけないと、悟らせることができる。
【図面の簡単な説明】
【００１１】
【図１】本発明の実施形態に係るクリップが透析チューブを把持した状態を示す斜視図である。
【図２】図１のＡ−Ａ断面図である。
【図３】図１のＢ−Ｂ断面図である。
【図４】図１のＣ−Ｃ断面図である。
【図５】本発明の実施形態に係るクリップが透析チューブを把持したときの状態を後方から見た斜視図である。
【図６】本発明の実施形態に係るクリップの先端部を開いた状態の斜視図である。
【図７】本発明の実施形態に係るクリップを患者の肩口の着衣に把持したときの状態を示す写真である。
【図８】従来の患者の肩口に透析チューブをテープ固定したときの状態を示す写真である。
【発明を実施するための形態】
【００１２】
以下、本発明を実施するための形態について図面を参照しながら説明する。
本実施形態に係るクリップ１は、一対の挟持部材２ａ，２ｂ、回転支持部材５、及びばね部材１２を備えている。
【００１３】
一対の挟持部材２ａ，２ｂは同一形状であり、その材質はポリプロピレン樹脂で成形されている。ポリプロピレン樹脂は、耐アルコールにすぐれているので、病院内でのアルコール消毒をしても劣化が抑えられる。
【００１４】
挟持部材２ａ，２ｂの先端部には、患者の着衣を把持する第１の把持部３ａ，３ｂが設けられている。
第１の把持部３ａ，３ｂは、それぞれ同一形状であり、その材質はエラストマー樹脂である。エラストマー樹脂は、ポリピロプレン樹脂より軟らかいため、患者の着衣が傷みにくい。
又、第１の把持部３ａ、３ｂの生地と接触する部分（第１の把持部３ａと第１の把持部３ｂが対抗する面）には、突起６ａ，６ｂを設けられており、滑り止め作用を奏する。
第１の把持部３ａ，３ｂには、図２に示す突起部７ａ，７ｂが設けられている。一方、挟持部材２ａ、２ｂの先端部には、開口した部分が狭くなった凹み部４ａ，４ｂが形成されている。第１の把持部３ａ，３ｂは、それぞれ、突起部７ａ、７ｂが凹み部４ａ、４ｂに嵌ることによって、挟持部材２ａ，２ｂに取り付けられている。
【００１５】
挟持部材２ａ，２ｂの、第１の把持部３ａ，３ｂと回転支持部５との間には、例えば２本の透析チューブ（チューブの一例）９を把持する第２の把持部８ａ，８ｂが設けられている。詳細には、挟持部材２ａ、２ｂの第１の把持部３ａ、３ｂが設けられた側の面の外周にそれぞれリブ１３ａ、１３ｂが設けられており、このリブ１３ａ、１３ｂによって形成された凹み部２０ａ、２０ｂの底面に、それぞれ第２の把持部８ａ、８ｂが貼り付けられている。
なお、日本国内においては、透析チューブ９の外径は、細い方でφ５．５ｍｍ、太い方でφ６．8ｍｍであるが、本発明のクリップは全て対応可能である。
第２の把持部８ａ、８ｂが把持できるチューブは、２本に限定されるものではなく、１本だけであっても良い。更に、第２の把持部８ａ、８ｂが把持する２本のチューブのうち、一方のチューブを例えば外径がφ４．０〜φ１０．０ｍｍの鋼管とすることもできる。このパイプは、例えば、点滴スタンドの鋼管である。
チューブは、例えば外径が、φ４．０〜φ５．０ｍｍの点滴用又は酸素吸入用チューブとすることができる。
第２の把持部８ａ，８ｂの材質は、ＥＰＤＭの発泡体である。ＥＰＤＭの発泡体は汎用ゴムの中で耐久性、耐候性、耐寒性、耐熱性、耐薬品性（酸、アルカリ）、及び耐アルコール性に優れている。ＥＰＤＭの発泡体は、柔軟な素材のため、圧縮しやすく、復元力も優れている。第２の把持部８ａ、８ｂは、それぞれ、例えば、日東電工株式会社製のエプトシーラー（商標登録）である。ＥＰＤＭの発泡体は、表面が適度の肌荒れ状態のため、表面が平滑な塩化ビニル製の透析チューブ９との摩擦係数が比較的大きな値となる。そのため、ＥＰＤＭの発泡体の撓みによる押え付け力は小さいが、透析チューブ９を引っ張ったときの摩擦力（患者が受ける抵抗感となる）は大きな値となる。ここで、この摩擦力は、６００〜９００ｇとなることが好ましく、７５０〜８５０ｇとなることが更に好ましい。ちなみに、この摩擦力は、第２の把持部８ａ，８ｂが把持した２本の透析チューブ９を、第２の把持部８ａ、８ｂから、５ｃｍ離れた位置を紐で縛り、この紐をばねばかりを用いて、透析チューブを引きぬく方向に引っ張って測定した値である。
従って、透析中に患者が無意識に透析チューブ９を引っ張ったときは、抵抗感を受けるので、患者は透析チューブ９を引っ張ってはいけないことを悟ることができる。
【００１６】
回転支持部５は、両端に抜け止め用フランジ１１が形成された、所定の長さのパイプのである。抜け止め用フランジ１１は、熱溶着により折り曲げて形成されている。回転支持部５の材質は、ポリエチレン樹脂である。ポリエチレン樹脂も耐アルコールに優れている。
ばね部材１２は、図２に示すように、長手方向の中央部にて曲げられ、先端部に内側に折り曲げられたＶ字形状部１６ａ、１６ｂが形成されている。
ばね部材１２は、例えば、ばね鋼板をプレスで折り曲げた後に、ニッケルメッキ処理された部材である。
ばね部材１２は、曲げられた中央部の内側が回転支持部５のパイプの外周に接して配置され、Ｖ字形状部１６ａ、１６ｂが、それぞれ、挟持部材２ａ，２ｂの外側に形成された凹み部１７ａ、１７ｂに嵌る。
【００１７】
次に、クリップ１の使用方法について説明する。
まず、看護士が例えば左手で２本の透析チューブ９を水平にして、平行に掴み、右手の親指と人指し指でクリップ１の指当て部１０ａ，１０ｂを摘めば、クリップ１の先端部（第１の把持部３ａ、３ｂ及び第２の把持部８ａ、８ｂ）が開く。
次に、２本の透析チューブ９を第２の把持部３ａ，３ｂに軽く押し込む。
最後に、図７に示すように、クリップ１の第１の把持部３ａ，３ｂを患者肩口の着衣に挟めば簡単に取り付けできる。
なお、第２の把持部３ａ、３ｂに把持された透析チューブ９は、大きくつぶれたり、大きく変形したりすることが無い。
【００１８】
次に、クリップ１の組み立て方法について説明する。
第２の把持部８ａ、８ｂとなるＥＰＤＭの発泡体は、あらかじめ、抜き型でハーフカットされた状態の直方体状になっており、裏側（透析チューブ９を把持する面とは反対側）には、アクリル系粘着剤がついている。
まず、剥離ライナーから直方体状のＥＰＤＭの発泡体を剥し取り、このＥＰＤＭの発泡体を第１の把持部３ａ、３ｂと回転支持部５との間のリブ１３a、１３bの内側凹み部２０a、２０bに貼り付けることによって、挟持部材２ａ、２ｂが完成する。
【００１９】
なお、ＥＰＤＭの発泡体を貼り付ける際、リブ１３ａ、１３ｂを位置決めの基準とすることによって、貼り付けずれ（位置ずれ）が抑制され、作業性が向上する。
【００２０】
次に、第１の把持部材３ａ、３ｂの取り付け方向を確認して、挟持部材２ａ、２ｂの凹み部４ａ，４ｂに位置合わせして押し込めば組み立てが出来る。
【００２１】
最後に、第１の把持部３ａ、３ｂと第２の把持部材８ａ、８ｂとを一対の挟持部材２ａ、２ｂに取り付け、回転支持部５を挟み込み、ばね部材１２の先端部のＶ字形状部１６ａ、１６ｂを挟持部材２ａ、２ｂの凹み部１７ａ、１７ｂに専用治具でＰ方向(図２)に押し込めば、抜け止めとなりクリップ１の組み立てが完成する。
【符号の説明】
【００２２】
１：クランプ
２ａ，２ｂ：挟持部材
３ａ，３ｂ：第１の把持部
４ａ，４ｂ：凹み部
５：回転支持部
６ａ，６ｂ：突起
７ａ，７ｂ：突起部
８ａ，８ｂ：第２の把持部
９：透析チューブ
１０ａ，１０ｂ：指当て部
１１：抜け止め用フランジ
１２：ばね部材
１３ａ、１３ｂ：リブ
１４：テープ
１６ａ、１６ｂ：Ｖ字形状部
１７ａ、１７ｂ：凹み部
２０ａ、２０ｂ：凹み部
【図１】
2013056114.tif 000003
【図２】
2013056114.tif 000004
【図３】
2013056114.tif 000005
【図４】
2013056114.tif 000006
【図５】
2013056114.tif 000007
【図６】
2013056114.tif 000008
【図７】
2013056114.tif 000009
【図８】
2013056114.tif 000010
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
回転支持部と一端部に患者の着衣を把持する第１の把持部が設けられ、他端部に該第１の把持部を開くために指を当てる指当て部が設けられ、前記回転支持部を介して該回転支持部の軸回りに、それぞれ回転するように連結された一対の挟持部材と、前記第１の把持部が閉じる力を発生するばね部材と、を備えたクリップにおいて、前記第１の把持部と回転支持部との間に、チューブを把持して撓む第２の把持部を備え、前記第２の把持部の材質はＥＰＤＭの発泡体であることを特徴とするクリップ。 
【請求項２】
請求項１記載のクリップにおいて、前記第２の把持部は、前記一対の挟持部材のリブの内側凹み部に貼り付けられたことを特徴とするクリップ。
【手続補正２】
【補正対象書類名】明細書
【補正対象項目名】０００５
【補正方法】変更
【補正の内容】
【０００５】回転支持部と一端部に患者の着衣を把持する第１の把持部が設けられ、他端部に該第１の把持部を開くために指を当てる指当て部が設けられ、前記回転支持部を介して該回転支持部の軸回りに、それぞれ回転するように連結された一対の挟持部材と、前記第１の把持部が閉じる力を発生するばね部材と、を備えたクリップにおいて、前記第１の把持部と回転支持部との間に、チューブを把持して撓む第２の把持部を備え、前記第２の把持部の材質はＥＰＤＭの発泡体であることを特徴とするものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】請求項１〜2記載のクリップによれば、簡単に取り付け、取り外しができる。 そして、チューブの材質が塩化ビニルであり、第２の把持部の材質がＥＰＤＭの発泡体であるので、透析中に患者が無意識に透析回路（透析チューブ）を引っ張ったとき、透析チューブと第２の把持部との間に摩擦力が発生し抵抗力を感じ得るので、透析チューブを引っ張ってはいけないと、悟らせることができる。
【手続補正５】
【補正対象書類名】明細書
【補正対象項目名】００１０
【補正方法】削除
【補正の内容】